(57)【特許請求の範囲】
【請求項１】
軒−棟方向に沿って伸延する一対の長辺および軒方向に伸延する一対の短辺にて区画された平坦な底板部と、この底板部の前記各長辺につながるとともにそれぞれ外開き状態で立ち上がる傾斜側板部と、この各傾斜側板部の上端部につながる一対の肩部と、この一対の肩部の末端にてそれぞれ垂直に起立する立ち上がり部とを備えた折板屋根材であって、
前記底板部の棟側に位置する短辺、この短辺につながる前記傾斜側板部の端縁、前記肩部の端縁、前記立ち上がり部の端縁のいずれか１または全てに、上向きに１８０°折り返して形成され、軒−棟方向に沿って隣接配置される他の折板屋根材の上ハゼに嵌合可能な鉤型形状をなす下ハゼを設け、
前記底板部の軒側に位置する短辺、この短辺につながる前記傾斜側板部の端縁、前記肩部の端縁、前記立ち上がり部の端縁のいずれか1または全てに、下向きに１８０°折り返して形成され、軒−棟方向に沿って隣接配置される他の折板屋根材の下ハゼに嵌合可能な鉤型形状をなす上ハゼを設け、
前記上ハゼ、下ハゼは、軒−棟方向に沿って隣接配置される他の折板屋根材の下ハゼ、上ハゼとの嵌合状態でもって弾性シール部材の充填、配置領域を形成する嵌合空間を有し、
前記立ち上がり部は、その上端かつ、両縁部を除いた領域に、軒方向に隣接配置される他の折板屋根材との接続を可能とする継手部を有し、該継手部のうち、一方の立ち上がり部に設けられた継手部は、横向に開放された凹部を有する挟持片からなり、もう一方の立ち上がり部に設けられた継手部は、該挟持片の凹部に差し込み可能な差し込み片からなり、
該立ち上がり部の両縁部については、折板屋根材をつなぎ合わせた際に、該立ち上がり部と該継手部の縁部で区画された開口部を形成するものであることを特徴とする折板屋根材。
【請求項２】
前記傾斜側板部に設けられた下ハゼ、上ハゼの、前記嵌合空間の開口寸法をｔとし、前記底板部、肩部の下ハゼ、上ハゼの嵌合空間の開口寸法をｔ１とし、前記傾斜側板部の水平面に対する立ち上がり角度をθとした場合に、ｔ＝ｔ１×ｃｏｓθであることを特徴する請求項１に記載した折板屋根材。
【請求項３】
前記弾性シール部材は、前記嵌合空間に充填、配置される本体部分と、この本体部分に一体的につながり、前記下ハゼの折り返し部の上面に巻き上げられる巻き上げ部からなることを特徴とする請求項１または２に記載した折板屋根材。
【請求項４】
前記底板部と前記傾斜側板部との接続部位、前記傾斜側板部と前記肩部との接続部位は、緩慢に湾曲させた湾曲部または、複数の角度で緩慢に屈曲させた屈曲部からなることを特徴とする請求項１〜３のいずれか１に記載した折板屋根材
【請求項５】
請求項１〜４のいずれか１に記載した折板屋根材の接続構造であって、
前記下ハゼ、上ハゼを、軒−棟方向に隣接配置される他の折板屋根材の上ハゼ、下ハゼにそれぞれ嵌合させて屋根材同士を軒−棟方向に接続する一方、前記継手部を、軒方向に隣接配置される他の折板屋根材の継手部に連係させて屋根材同士を接続してなることを特徴とする折板屋根の接続構造。
【請求項６】
請求項１〜４のいずれか１に記載した折板屋根材につき、該折板屋根同士を、前記上ハゼ、下ハゼの嵌合部位で相互に接続するのに用いる連結固定具であって、
屋根の固定部に連係するボルトと、このボルトが貫通する開孔を有し、折板屋根材の肩部の下面に位置する受け板と、該ボルトを貫通する開孔を有し、該折板屋根材の肩部の上面に配置される押さえ部材と、この押さえ部材の上部で前記ボルトに係合するとともに、その締め込みによって前記受け板と前記押さえ部材との相互間で該肩部を挟持するナットとからなり、
該押さえ部材は、折板屋根材の下ハゼと上ハゼの嵌合部位に対面し該嵌合部位をその内側に位置せしめる凹部と、この凹部の前後、左右の少なくとも４箇所に設けられ、接続すべき折板屋根材の各肩部にそれぞれ当接する押圧脚部からなることを特徴とする折板屋根材の接続に用いる連結固定具。
【請求項７】
前記押さえ部材に着脱自在に嵌合して該押さえ部材をその内側空間に収納するカバーを有することを特徴とする請求項６に記載の折板屋根材の接続に用いる連結固定具。
【請求項８】
請求項６または７に記載した連結固定具を用いて、前記折板屋根材同士を、前記上ハゼ、下ハゼの嵌合部位で相互に接続することを特徴とする請求項５に記載した折板屋根材の接続構造。
【発明の詳細な説明】
【技術分野】
【０００１】
本発明は、工場、倉庫、大型店舗等の大面積の屋根において幅広く使用される、折板屋根材、その折板屋根材接続構造およびその接続に用いる連結固定具に関するものである。
【背景技術】
【０００２】
折板屋根材は、本体、鋼板コイルを素材とし、施工現場に配置されたロール成形機を用いて所望の形状、長さに形成されるものであって、施工性、耐風圧強度、止水性を経済的に確保できる屋根材として広く普及している。
【０００３】
ところで、近年、既設の折板構造の屋根に対する改修需要が高まっており、施工現場での折板屋根材の迅速な成形および施工が求められているが、とくに、折板屋根材が長尺である場合には、その成形、施工を行うのが困難になること（場所の確保等）が多い。
【０００４】
その打開策として、最近では、工場で予め輸送可能な長さのもとで所定形状に成形し（定尺化）、これを施工現場でつなぎ合わせるようにして屋根を葺きあげる屋根材、工法が開発されてきており、この点に関する先行技術としては、特許文献１に開示された如き縦葺き屋根材、あるいは特許文献２に記載された如き建築用板の継手構造が参照される。
【先行技術文献】
【特許文献】
【０００５】
【特許文献１】特許第３１９６５６０号公報
【特許文献２】特開平６―９３６８６号公報
【発明の概要】
【発明が解決しようとする課題】
【０００６】
しかしながら、上記文献１、２に開示されているものは、屋根材を、その最も低くなる底板部にねじの如き固着具を介して固定する構造になっているため、不定型シールやコーキング材を用いた止水構造を適用したとしても、日射、寒気による伸縮、経時劣化等によりその機能を長期にわたって維持することが困難で雨漏りを起こすことが懸念され（この種の屋根材が使用される建築物は、大面積で緩勾配の屋根が多く、止水性の確保が課題）、また、屋根材同士を接続するための複数の部材が別途に必要であり部品点数の増加も避けられないことから、効率的な施工を実現するのが難しい状況にある。
【０００７】
本発明の目的は、構造の簡素化を図り効率的な施工を実現するとともに、雨水等の侵入を確実に防止し得る止水性の高い折板屋根材、その折板屋根材の接続構造およびその折板屋根材の接続に用いる連結固定具を提案するところにある。
【課題を解決するための手段】
【０００８】
本発明は、軒−棟方向に沿って伸延する一対の長辺および軒方向に伸延する一対の短辺にて区画された平坦な底板部と、この底板部の前記各長辺につながるとともにそれぞれ外開き状態で立ち上がる傾斜側板部と、この各傾斜側板部の上端部につながる一対の肩部と、この一対の肩部の末端にてそれぞれ垂直に起立する立ち上がり部とを備えた折板屋根材であって、
前記底板部の棟側に位置する短辺、この短辺につながる前記傾斜側板部の端縁、前記肩部の端縁、前記立ち上がり部の端縁のいずれか１または全てに、上向きに１８０°折り返して形成され、軒−棟方向に沿って隣接配置される他の折板屋根材の上ハゼに嵌合可能な鉤型形状をなす下ハゼを設け、
前記底板部の軒側に位置する短辺、この短辺につながる前記傾斜側板部の端縁、前記肩部の端縁、前記立ち上がり部の端縁のいずれか1または全てに、下向きに１８０°折り返して形成され、軒−棟方向に沿って隣接配置される他の折板屋根材の下ハゼに嵌合可能な鉤型形状をなす上ハゼを設け、
前記上ハゼ、下ハゼは、軒−棟方向に沿って隣接配置される他の折板屋根材の下ハゼ、上ハゼとの嵌合状態でもって弾性シール部材の充填、配置領域を形成する嵌合空間を有し、
前記立ち上がり部は、その上端かつ、両縁部を除いた領域に、軒方向に隣接配置される他の折板屋根材との接続を可能とする継手部を有し、該継手部のうち、一方の立ち上がり部に設けられた継手部は、横向に開放された凹部を有する挟持片からなり、もう一方の立ち上がり部に設けられた継手部は、該挟持片の凹部に差し込み可能な差し込み片からなり、
該立ち上がり部の両縁部については、折板屋根材をつなぎ合わせた際に、該立ち上がり部と該継手部の縁部で区画された開口部を形成するものであることを特徴とする折板屋根材である。
【０００９】
上記の構成からなる折板屋根材においては、
（１）傾斜側板部に設けられた下ハゼ、上ハゼは、前記嵌合空間の開口寸法をｔとし、前記底板部、肩部の下ハゼ、上ハゼの嵌合空間の開口寸法をｔ１とし、前記傾斜側板部の水平面に対する立ち上がり角度をθとした場合に、ｔ＝ｔ１×ｃｏｓθであること、
（２）弾性シール部材は、前記嵌合空間に充填、配置される本体部分と、この本体部分に一体的につながり、下ハゼの折り返し上面に巻き上げられる巻き上げ部とにて構成すること、
（３）底板部と傾斜側板部との接続部位、傾斜側板部と肩部との接続部位は、一定の曲率半径でもって湾曲させた湾曲部または、複数の角度で緩慢に屈曲させて屈曲部にて構成すること、
が本発明の課題解決のための具体的手段として好ましい。
【００１０】
また、本発明は、上記の構成からなる折板屋根材の接続構造であって、前記下ハゼ、上ハゼを、軒−棟方向に隣接配置される他の折板屋根材の上ハゼ、下ハゼにそれぞれ嵌合させて屋根材同士を軒−棟方向に接続する一方、前記継手部を、軒方向に隣接配置される他の折板屋根材の継手部に連係させて屋根材同士を接続してなることを特徴とする折板屋根の接続構造である。
【００１１】
さらに、本発明は、上記の構成からなる折板屋根材につき、該折板屋根同士を、前記上ハゼ、下ハゼの嵌合部位で相互に接続するのに用いる連結固定具において、屋根の固定部に連係するボルトと、このボルトを貫通する開孔を有し、折板屋根材の肩部の下面に位置する受け板と、該ボルトを貫通する開孔を有し、該折板屋根材の肩部の上面に配置される押さえ部材と、この押さえ部材の上部で前記ボルトに係合するとともに、その締め込みによって前記受け板と前記押さえ部材との相互間で該肩部を挟持するナットとからなり、該押さえ部材を、折板屋根材の下ハゼと上ハゼの嵌合部位に対面し該嵌合部位をその内側に位置せしめる凹部と、この凹部の前後、左右の少なくとも４箇所に設けられ、接続すべき折板屋根材の各肩部にそれぞれ当接する押圧脚部からなるもので構成することを特徴とする折板屋根材の接続に用いる連結固定具である。
【００１２】
上記の構成からなる連結固定具においては、記押さえ部材に着脱自在に嵌合して該押さえ部材をその内側空間に収納するカバーを設けることが好ましい。また、本発明は、上記の構成からなる連結固定具を用いて、前記屋根材同士を、前記上ハゼ、下ハゼの嵌合部位で相互に接続することによって折板屋根材の接続構造を構成するのが好ましい。
【発明の効果】
【００１３】
上記の構成からなる本発明の折板屋根材においては、底板部の棟側に位置する短辺（水上端側）、この短辺につながる傾斜側板部の端縁、肩部の端縁、立ち上がり部の端縁のいずれか１または全てに、上向きに１８０°折り返して形成され、軒−棟方向に沿って隣接配置される他の折板屋根材の上ハゼに嵌合可能な鉤型形状をなす下ハゼを設け、底板部の軒側に位置する短辺（水下端側）、この短辺につながる前記傾斜側板部の端縁、前記肩部の端縁、前記立ち上がり部の端縁のいずれか1または全てに、下向きに１８０°折り返して形成され、軒−棟方向に沿って隣接配置される他の折板屋根材の下ハゼに嵌合可能な鉤型形状をなす上ハゼを設けるようにしたため、上ハゼを下ハゼに嵌合させるだけの簡単な作業で折板屋根材の接続が可能となる（構造の簡素化、作業効率の改善）。
【００１４】
また、上ハゼ、下ハゼが形成された部位は、変形に対する抵抗（剛性）が高いため、下ハゼと上ハゼとを嵌合させたときに形成される嵌合空間に弾性シール部材（ゴムやスポンジ状の弾性発泡体等）を充填、配置した場合に、該弾性シール部材の反発力を高めることが可能となり、屋根材の接続部における止水性を向上させることができる。
【００１５】
また、本発明による折板屋根材によれば、立ち上がり部の上端かつ、両縁部を除いた領域に、軒方向に隣接配置される他の折板屋根材との接続を可能とする継手部を設け、この継手部を、一方の立ち上がり部に設けたものについては横向きに開放された凹部（溝部）を有する挟持片で構成し、もう一方の立ち上がり部に設けたものについては該挟持片に差し込み可能な差し込み片で構成したため、隣接配置される他の折板屋根材をつなぎ合わせるに際して差し込み片を、挟持片の凹部に差し込むだけで高い止水性を確保したまま折板屋根同士をつなぎ合わせることができる。
【００１６】
また、本発明による折板屋根材によれば、傾斜側板部に設けられた下ハゼ、上ハゼの嵌合空間の開口寸法をｔとし、底板部、肩部の下ハゼ、上ハゼの嵌合空間の開口寸法をｔ１とし、傾斜側板部の水平面に対する立ち上がり角度をθとした場合に、ｔ＝ｔ１×ｃｏｓθとしたため、傾斜側板部に設けられた下ハゼ、上ハゼの嵌合空間の開口寸法ｔは、ｃｏｓθだけ小さくなり、上ハゼ、下ハゼを折り返し加工する際に、形状変形を伴うことなしに成形加工を行うことができる。
【００１７】
また、上記の構成からなる本発明の折板屋根材によれば、弾性シール部材を、嵌合空間に充填、配置される本体部分と、この本体部分に一体的につながり、下ハゼの折り返し部の上面に巻き上げられる巻き上げ部からなるものとしたため、下ハゼと上ハゼを嵌合させる際、上ハゼの先端部を、該弾性シール部材と下ハゼのとの相互間に簡単に差し込むことが可能となり、しかも、下ハゼの折り返し上面に巻き上げられた巻き上げ部が上ハゼの内壁面に密着するため、水止性が向上する。
【００１８】
また、本発明による上記構成の折板屋根材によれば、記底板部と前記傾斜側板部との接続部位、傾斜側板部と肩部との接続部位は、緩慢に湾曲させた湾曲部または、複数の角度で緩慢に屈曲させて屈曲部にて構成したため、該接続部位におけるハゼ（上ハゼ、下ハゼ）の成形が容易になる。
【００１９】
さらに、上記の構成からなる本発明の折板屋根材の接続構造によれば、下ハゼ、上ハゼを、軒−棟方向に隣接配置される他の折板屋根材の上ハゼ、下ハゼにそれぞれ嵌合させて屋根材同士を軒−棟方向に接続する一方、前記継手部を、軒方向に隣接配置される他の折板屋根材の継手部に連係させて屋根材同士を接続するようにしたため、余計な部材を要することなしに屋根材を、軒−棟方向、軒方向にそれぞれつなぎ合わせることが可能となり、効率的な葺きあげ施工が行える。
【００２０】
さらに、上記の構成からなる折板屋根材につき、該折板屋根同士を、前記上ハゼ、下ハゼの嵌合部位で相互に接続するのに用いる連結固定具を、屋根の固定部に連係するボルトと、このボルトを貫通する開孔を有し、折板屋根材の肩部の下面に位置する受け板と、該ボルトを貫通する開孔を有し、該折板屋根材の肩部の上面に配置される押さえ部材と、この押さえ部材の上部で前記ボルトに係合するとともに、その締め込みによって前記受け板と前記押さえ部材との相互間で該肩部を挟持するナットにて構成し、該押さえ部材を、折板屋根材の下ハゼと上ハゼの嵌合部位に対面し該嵌合部位をその内側に位置せしめる凹部と、この凹部の前後、左右の少なくとも４箇所にもけられ、接続すべき折板屋根材の各肩部にそれぞれ当接する押圧脚部からなるものとしたため、該折板屋根材を、建築構造物に設けられたタイトフレーム等の固定部に確実に固定することができる。
【００２１】
上記の如き構成からなる本発明の連結固定具によれば、押さえ部材に着脱自在に嵌合して該押さえ部材をその内側空間に収納するカバーを設けるようにしたため、折板屋根の接続部からの雨水等の侵入を確実に回避することができる。
【図面の簡単な説明】
【００２２】
【図１】本発明に従う折板屋根材の外観斜視図である。
【図２】図１に示した折板屋根材の正面を示した図である。
【図３】図１に示した折板屋根材の側面を示した図である。
【図４】図１に示した折板屋根材の平面を示した図である。
【図５】下ハゼの要部断面を拡大して示した図である。
【図６】上ハゼの要部断面を拡大して示した図である。
【図７】下ハゼと、上ハゼの嵌合状態を示した図である。
【図８】下ハゼと、上ハゼの嵌合要領を示した図である。
【図９】弾性シール部材の配置状況をその要部について示した外観斜視図である。
【図１０】本発明に従う折板屋根材の施工要領の説明図である。
【図１１】本発明に従う折板屋根材の接続状況をその要部について示した図である。
【図１２】（ａ）（ｂ）は、タイトフレームの正面および側面を示した図である。
【図１３】（ａ）（ｂ）は、本発明に従う連結固定具の構成を示した図である。
【図１４】本発明に従う連結固定具の外観斜視図を分解状態で示した図である。
【図１５】（ａ）〜（ｄ）は、本発明に従う連結固定具を用いて折板屋根材を固定保持する要領を示した図である。
【図１６】（ａ）（ｂ）は、既設の屋根に本発明に従う折板屋根材を配置するのに好適な連結固定具の構成を示した図である。
【発明を実施するための形態】
【００２３】
以下、図面を参照して、本発明をより具体的に説明する。
図１は、本発明に従う折板屋根材の外観斜視図であり、図２は、その正面を示した図、図３は、その側面を示した図、図４は、その平面を示した図である。本発明に従う折板屋根材は、縦葺きタイプの折板屋根材であって、厚さ０．６〜１．０ｍｍになる例えば、溶融亜鉛めっき鋼板やカラー鋼板等の防錆処理鋼板、ステンレス鋼板、銅板、アルミニウム合金板、亜鉛板等を、ロール成形によって成形される定尺部材からなる。
【００２４】
図における符号１は、折板屋根材の本体部分をなす平坦な底板部である。この底板部１は、軒−棟方向に沿って伸延する一対の長辺１ａ、１ｂと、軒方向に伸延する一対の短辺１ｃ、１ｄにて区画されている。
【００２５】
また、２、３は、底板部１の長辺１ａ、１ｂに一体的につながるとともにそれぞれ外開き状態で立ち上がる傾斜側板部、４、５は、傾斜側板部２、３の上端部にその端部へ向けて若干高くなるように傾斜角度をもってつながる肩部、６、７は、肩部４、５の末端でそれぞれ垂直に起立する立ち上がり部である。
【００２６】
上記傾斜側板部２、３、肩部４、５、立ち上がり部６、７は、底板部１の長辺１ａ、１ｂと同等の長さを有するものであって、該傾斜側板２、３の端縁、肩部４、５の端縁、立ち上がり部６、７の端縁は、底板部１の短辺１ｃ、１ｄに連続的につながっており、その平面形状は、図４に示すように矩形形状を呈している。
【００２７】
また、８は、底板部１の棟側に位置する短辺１ｄとこれにつながる傾斜側板２、３の端縁、肩部４、５の端縁に設けられた下ハゼである。
【００２８】
下ハゼ８は、その要部を図５に示すように、それらの各部位を１８０°上向きに折り返して形成された鉤型形状をなすものであって、その内側には、棟側に向けて開放され、弾性シール部材の充填、配置領域を形成する嵌合空間８ａを有しており、軒−棟方向に沿って隣接配置される他の折板屋根材（この折板屋根材は、図示のものと同じ構成になるものが使用される）の上ハゼに嵌合可能になっている。
【００２９】
また、９は、底板部１の軒側に位置する短辺１ｃとこれにつながる傾斜側板２、３の端縁、肩部４、５の端縁に設けられた上ハゼである。
【００３０】
上ハゼ９は、その要部を図６に示すように、それらの各部位を１８０°下向きに折り返すことによって形成された鉤型形状をなすものであって、その内側には、軒側に向けて開放され、弾性シール部材の充填、配置領域を形成する嵌合空間９ａを有しており、軒−棟方向に沿って隣接配置される他の折板屋根材（この折板屋根材は、図示のものと同じ構成になるものが使用される）の下ハゼ（下ハゼ８）に嵌合可能になっている。
【００３１】
傾斜側板部２、３に設けられた下ハゼ８、上ハゼ９については、それらの嵌合空間８ａ、９ａの開口寸法をｔ（図５参照）とし、底板部１、肩部４、５の下ハゼ８、上ハゼ９の嵌合空間８ａ、９ａの開口寸法をｔ１（図５参照）し、傾斜側板部２、３の水平面に対する立ち上がり角度をθとした場合（図２参照）に、ｔ＝ｔ１×ｃｏｓθとするのがよく、これにより、傾斜側板部に設けられた下ハゼ、上ハゼの嵌合空間の開口寸法ｔは、ｃｏｓθだけ小さくなり、下ハゼ８、上ハゼ９の折り返し加工を行う際に、形状変形を伴うことなしに成形加工を行うことができる。
【００３２】
上記下ハゼ８と上ハゼ９を嵌合状態に保持し、該嵌合空間８ａ、９ａに弾性シール部材Ｓを配置した状況を図７に示す。弾性シール部材Ｓを嵌合空間８ａ、９ａに配置するには、図８に示すように、該弾性シール部材Ｓを予め下ハゼ８の嵌合空間８ａ内に配置しておき、上ハゼ９の先端爪部９ｂを下ハゼ８の内壁面と弾性シール部材Ｓの間に差し込むようにすればよい。弾性シール部材Ｓとしては、合成ゴム発泡体等が適用できる。
【００３３】
下ハゼ８と上ハゼ９の嵌合を容易にし、かつ、折板屋根材の接続部において高い止水性を確保するため、弾性シール部材Ｓとしては、図９に示す如く、下ハゼ８嵌合空間８ａに充填、配置される本体部分Ｓ１と、この本体部分Ｓ１に一体的につながり、下ハゼ８の折り返し部の上面に巻き上げられる巻き上げ部Ｓ２からなる弾性シール部材Ｓを適用することができる。
【００３４】
かかる弾性シール部材Ｓは、その長さを嵌合空間８ａよりも長くしておき、該嵌合空間８ａからはみ出した部位を下ハゼ８の折り返し部の上面に巻き上げ、接着剤を介して巻き上げ部位を下ハゼ８の折り返し部の上面に接着すればよい。
【００３５】
また、１０は、立ち上がり部６、７の上端で、かつ、該立ち上がり部６、７の両縁部を除いた領域に設けられた継手部である（図２、図３参照）。この継手部１０は、軒方向に隣接配置される他の折板屋根材との接続を可能とするものであって、立ち上がり部６には、横向きに開放された凹部ｃを有する挟持片１０ａからなり、立ち上がり部７には、挟持片１０ａの凹部ｃに差し込み可能な差し込み片１０ｂからなっている。継手部１０を、立ち上がり部６、７の両縁部を除いた領域に設けることで、後述する連結固定具のボルトを露出させる開口部を形成することができるようになっている。
【００３６】
上記挟持片１０ａ、差し込み片１０ｂは、その断面形状がほぼ同じになる逆向き配置のものを例として示したが、その形状は適宜変更できるものであって、差し込み片１０ｂは、挟持片１０ａの凹部ｃに差し込むことができる高さに設定されている。
【００３７】
底板部１と傾斜側板部２、３との接続部位、傾斜側板部２、３と肩部４、５との接続部位は、緩慢に湾曲させた湾曲部Ｐ１あるいは、複数の角度で緩慢に屈曲させて屈曲部Ｐ２にて構成することができ（図２参照）、これにより成形加工の際の調整代の拡大を図ることが可能となり、該接続部位におけるハゼ（上ハゼ、下ハゼ）の成形が容易になる。
【００３８】
上記のような構成からなる折板屋根材を軒−棟方向、軒方向にそれぞれつなぎ合わせて接続構造を構成するには、図１０に示す折板屋根材Ａを基準にすると、まず、該折板屋根材Ａの下ハゼ８に、軒−棟方向の棟側に配置される他の折板屋根材Ｂの上ハゼ９を嵌合させて屋根材同士を、軒から棟にわたって順次接続していく。そして、棟に至るまでの作業を終えたならば、次に、折板屋根材Ａの継手部１０を、軒方向に隣接配置される他の折板屋根材Ｃの継手部１０に連係させて屋根材同士を接続し、さらに、この接続作業を行いながら、折板屋根材Ｄの如く、軒─棟方向に別の折板屋根材を順次接続していけばよい。
【００３９】
図１１は、本発明に従う折板屋根材の接続部をその要部について示した図である。折板屋根材をつなぎ合わせるにあたっては、図示のように、下ハゼ８に弾性シール部材Ｓを配置しておくことが肝要であり、これにより高い止水性が確保される。
【００４０】
また、下ハゼ８の端部から該弾性シール部材Ｓをはみ出させて立ち上がり部６、７の側壁に沿って起立する起立部Ｓ３（図１１参照）を設けておくことにより、折板屋根材の接続部の止水性をより一層高めることができる。
【００４１】
本発明に従う折板屋根材は、軒−棟方向、軒方向への接続を行う際、建築構造物の梁等に設置、固定される波型形状をなす図１２（ａ）（ｂ）に示す如きタイトフレーム１１に配置（新設の場合）され、折板屋根材の接続に合わせ、接続にかかる折板屋根材を連結固定具を介して該タイトフレーム１１に固定する。
【００４２】
図１３（ａ）（ｂ）は、本発明に従う連結固定具をその正面、側面について示した図であり、図１４は、その外観を分解状態で示した図である。
【００４３】
図における符号１２には、タイトフレーム１１に連係するボルトである。このボルト１２は、折板屋根材をつなぎ合わせた際に形成される開口部ｈ（立ち上がり部６、７と、継手部１０の縁部で区画された開口部、図１４参照）を通してその先端部分が折板屋根材の外表面に露出するようになっている。
【００４４】
また、１３は、ボルト１２を貫通する開孔を有し、折板屋根材の肩部４、５の下面に位置する受け板である。この受け板１３は、肩部４、５の形状に合わせた単一のプレート状部材から構成される。
【００４５】
また、１４は、ボルト１２を貫通する開孔を有し、折板屋根材の肩部４、５の上面に配置される押さえ部材である。この押さえ部材１４も単一部材にて構成されるものであって、下向きに開放されたＣ型断面形状を有している。
【００４６】
１５は、押さえ部材１４の上部でボルト１２に係合するとともに、その締め込みによって受け板１３と押さえ部材１４との相互間で二枚重ねになった折板屋根材の肩部４、５を挟持するナットである。
【００４７】
上記押さえ部材１４は、その幅方向の両側に、折板屋根材の下ハゼ８と上ハゼ９の嵌合部位に対面し該嵌合部位をその内側に位置せしめる下向きに開放された凹部１４ａを有しており、この凹部１４ａの前後、左右の少なくとも４箇所（この例では４か所設ける場合について示してある）には、接続すべき折板屋根材の各肩部４、５にそれぞれ当接する押圧脚部１４ｂが形成されている。また、この押さえ部材１４の長手方向の端部には、上方に向けて垂直に折り返された舌片１４ｃが形成されている。
【００４８】
１６は、押さえ部材１４に着脱自在に嵌合して該押さえ部材１４をその内側空間Ｍに収納するカバーである。このカバー１６は、天面壁１６ａと、この天面壁１６ａの縁部につながり、その内側に、押さえ部材１４の側壁凸部１４ｂに連係する係止爪部１６ｂが形成されたアーム壁１６ｃから構成されていている。
【００４９】
カバー１６は、折板屋根材の軒−棟方向の全長にわたって配置され、これによっても止水性を高めることができるものであって、軒−棟方向の全長にわたる長さを有する一体物を適用することができるが、定尺物を複数本つなぎ合わせたものを適用してもよい。
【００５０】
上記の構成からなる連結固定具を用いて折板屋根材をタイトフレーム１１に固定する要領を図１５（ａ）〜（ｄ）に示す。
【００５１】
本発明に従う折板屋根材は、上ハゼ９を下ハゼ８に嵌合させた際に、その相互間には、図１５（ｃ）に示すように段差ｄが形成されることになるが、上記の構成からなる連結固定具においては、押さえ部材１４の押圧脚部１４ｂが折板屋根材の４箇所にそれぞれ個別に当接するため、図１５（ｄ）に示すように、ナット１５を締め込むことにより該折板屋根材が水平に維持することができる。
【００５２】
また、本発明に従う折板屋根材は、図１６（ａ）（ｂ）に示すように、既設の折板屋根のハゼ部に、取り付けボルト１２を備えた２つ合わせ構造になる受け金具１７を別途に配置し、該受け金具１７に上掲図９に示す要領で本発明に従う折板屋根材を配列、つなぎ合わせて固定することもでき、既設の建築構造物の屋根の改修にも容易対応し得る。
【００５３】
本発明に従う折板屋根材は、軒−棟方向においては、上ハゼ９、下ハゼ８にて折板屋根材同士を接続し、軒方向においては、肩部４、５において屋根材同士を接続するものであり、雨水等が簡単に侵入することがないうえ、風圧に対する抵抗力も高く維持できる。
【産業上の利用可能性】
【００５４】
本発明によれば、構造の簡素化を図り効率的な施工を実現するとともに、雨水等の侵入を長期にわたって防止し得る折板屋根材、その折板屋根材の接続構造およびその折板屋根材の接続に用いる連結固定具が提供できる。
【符号の説明】
【００５５】
１        底板部
１ａ      長辺
１ｂ      長辺
１ｃ      短辺
１ｄ      短辺
２        傾斜側板部
３        傾斜側板部
４        肩部
５        肩部
６        立ち上がり部
７        立ち上がり部
８        下ハゼ
８ａ      嵌合空間
９        上ハゼ
９ａ      嵌合空間
１０      継手部
１０ａ    挟持片
１０ｂ    差し込み片
１１      タイトフレーム
１２      ボルト
１３      受け板
１４      押さえ部材
１４ａ    凹部
１４ｂ    押圧脚部
１５      ナット
１６      カバー
１６ａ    天面壁
１６ｂ    係止爪部
１６ｃ    アーム壁
１７      受け金具
Ｓ        弾性シール部材
ｈ        開口部
Ｍ        収納空間
【図１】
0005821084.tif 000002
【図２】
0005821084.tif 000003
【図３】
0005821084.tif 000004
【図４】
0005821084.tif 000005
【図５】
0005821084.tif 000006
【図６】
0005821084.tif 000007
【図７】
0005821084.tif 000008
【図８】
0005821084.tif 000009
【図９】
0005821084.tif 000010
【図１０】
0005821084.tif 000011
【図１１】
0005821084.tif 000012
【図１２】
0005821084.tif 000013
【図１３】
0005821084.tif 000014
【図１４】
0005821084.tif 000015
【図１５】
0005821084.tif 000016
【図１６】
0005821084.tif 000017